【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
通信制御処理を実行するマスタと、マスタを介した通信を実行する１以上のスレーブとによって構成され、マスタのアドレスと同期情報を含む信号を受信したスレーブがマスタに対して自分の属性情報を含む呼出信号を送信する呼出処理により、マスタとスレーブが周波数軸と時間軸における同期が確立される無線通信ネットワークにおいて、マスタとして機能する通信処理装置であり、
前記無線通信ネットワークの構成機器としてのスレーブ各々から、各スレーブのデータ処理能力の評価要素毎の能力値をパフォーマンス・パラメータとして設定したデータを受信するデータ受信手段と、
各スレーブから受信したパフォーマンス・パラメータに基づいて、マスタ機器としての適性評価値を算出し、該適性評価値に基づいて、次期マスタとしてのバックアップマスタを決定する処理を実行するデータ処理手段と、
前記データ処理手段の決定したバックアップマスタに対応する機器のアドレス情報及び同期情報を含むバックアップマスタ情報を前記無線通信ネットワークを構成する各スレーブに送信するデータ送信手段とを有し、
前記データ送信手段で送信したバックアップマスタ情報により、次期マスタが自分のアドレスと同期情報を含む問合信号を送信せずに次期ネットワークの同期確立を可能とすることを特徴とする通信処理装置。
【請求項２】
前記パフォーマンス・パラメータは、スレーブのバッテリ残量、ＣＰＵ能力、メモリリソース、電界強度値としてのＲＳＳＩの少なくともいずれかを含み、
前記データ処理手段は、スレーブから受信する前記１以上のパフォーマンス・パラメータの全ての値に基づいて、前記適性評価値を算出する構成であることを特徴とする請求項１項記載の通信処理装置。
【請求項３】
前記パフォーマンス・パラメータは、スレーブのバッテリ残量、ＣＰＵ能力、メモリリソース、電界強度値としてのＲＳＳＩの少なくともいずれかを含み、
前記データ処理手段は、前記１以上のパフォーマンス・パラメータに対して重み係数を設定した演算処理により、前記適性評価値を算出する構成であることを特徴とする請求項１記載の通信処理装置。
【請求項４】
前記パフォーマンス・パラメータは、マスタ設定の可否情報を含み、
前記データ処理手段は、前記マスタ設定の可否情報がマスタ設定可として設定されたスレーブのみを対象としてマスタ機器としての適性評価値を算出する構成であることを特徴とする請求項１記載の通信処理装置。
【請求項５】
前記無線通信ネットワークは、ブルートゥース（Bluetooth）通信による無線通信ネットワークであり、
前記データ受信手段は、ブルートゥースネットワーク・エンカプセレーション・プロトコル（ＢＮＥＰ：Bluetooth Network Encapsulation Protocol）に従って生成されたＢＮＥＰパケットにパフォーマンス・パラメータを格納したパケットの受信処理を実行する構成であることを特徴とする請求項１記載の通信処理装置。
【請求項６】
前記無線通信ネットワークは、ブルートゥース（Bluetooth）通信による無線通信ネットワークであり、
前記データ送信手段は、ブルートゥースネットワーク・エンカプセレーション・プロトコル（ＢＮＥＰ：Bluetooth Network Encapsulation Protocol）に従って生成されるＢＮＥＰパケットにバックアップマスタ情報を格納したパケットの送信処理を実行する構成であることを特徴とする請求項１記載の通信処理装置。
【請求項７】
前記パフォーマンス・パラメータは、ブルートゥースネットワーク・エンカプセレーション・プロトコル（ＢＮＥＰ：Bluetooth Network Encapsulation Protocol）に従って生成されたＢＮＥＰパケットに格納され、
前記データ処理手段は、前記ＢＮＥＰパケットから前記パフォーマンス・パラメータを取得する処理を実行する構成であることを特徴とする請求項１記載の通信処理装置。
【請求項８】
前記データ処理手段は、バックアップマスタに対応する機器のアドレス情報及び同期情報を含むバックアップマスタ情報をブルートゥースネットワーク・エンカプセレーション・プロトコル（ＢＮＥＰ：Bluetooth Network Encapsulation Protocol）に従って生成されるＢＮＥＰパケットに格納する処理を実行する構成であることを特徴とする請求項１記載の通信処理装置。
【請求項９】
前記データ処理手段は、さらに、決定したバックアップマスタに対してマスタ起動を要請するためのバックアップマスタ起動要請パケットを生成し、
前記データ送信手段は、前記バックアップマスタ起動要請パケットをバックアップマスタに対して送信する処理を実行する構成であることを特徴とする請求項１記載の通信処理装置。
【請求項１０】
前記データ処理手段は、前記バックアップマスタ起動要請パケットに、バックアップマスタの構成情報として、ＮＡＰ（Network Access Point）、又はＧＮ（Group Ad-hoc Network）のいずれとして設定されるかの種別情報（Ｔａｒｇｅｔ  ＵＵＩＤ）を格納する処理を実行する構成であることを特徴とする請求項９記載の通信処理装置。
【請求項１１】
前記データ処理手段は、各スレーブから受信したパフォーマンス・パラメータに基づいて、マスタ機器としての適性評価値を算出し、該適性評価値に基づいて、評価値順の機器のアドレス情報及び同期情報を含むリストを格納したパケットを生成し、
前記データ送信手段は、前記リストを格納したパケットを前記無線通信ネットワークを構成する各スレーブに送信する処理を実行する構成であることを特徴とする請求項１記載の通信処理装置。
【請求項１２】
前記データ処理手段は、さらに、決定したバックアップマスタに対して送信するパケットとして、前記無線通信ネットワークの構成機器としてのスレーブ各々のアドレス情報及び同期情報を含むリストを格納したパケットを生成し、
前記データ送信手段は、前記リストを格納したパケットを前記バックアップマスタに対して送信する処理を実行する構成であることを特徴とする請求項１項記載の通信処理装置。
【請求項１３】
通信制御処理を実行するマスタと、マスタを介した通信を実行する１以上のスレーブとによって構成される無線通信ネットワークにおいて、スレーブとして機能する通信処理装置であり、
マスタのアドレスと同期情報を受信したスレーブがマスタに対して自分の属性情報を含む呼出信号を送信する呼出処理により、マスタとスレーブが周波数軸と時間軸における同期を確立する呼出処理手段と、
各スレーブのデータ処理能力の評価要素毎の能力値をパフォーマンス・パラメータとして設定したデータを格納したパケットを生成するデータ処理手段と、
前記データ処理手段の生成したパケットをマスタに対して送信するデータ送信手段と、
前記マスタからバックアップマスタに対応する機器のアドレス情報及び同期情報を含むバックアップマスタ情報を受信するデータ受信手段と、
前記データ受信手段の受信したバックアップマスタ情報を格納する記憶手段と、
次期マスタが自分のアドレスと同期情報を含む問合信号を送信するのを待たずに、前記記憶手段に格納されたバックアップマスタ情報に基づいて、前記呼出処理手段で呼出信号を送信することにより、バックアップマスタとの接続処理を実行する接続制御処理手段とを有することを特徴とする通信処理装置。
【請求項１４】
前記データ処理手段は、スレーブのバッテリ残量、ＣＰＵ能力、メモリリソース、電界強度値としてのＲＳＳＩの少なくともいずれかを評価要素として含む個々の能力値をパフォーマンス・パラメータとして設定したデータを格納したパケットを生成する構成であることを特徴とする請求項１３記載の通信処理装置。
【請求項１５】
前記データ処理手段は、無線通信ネットワークにおいて、共通に設定された基準データに基づいて、前記データ処理能力の評価要素毎の能力値としてのパフォーマンス・パラメータの値を設定する構成であることを特徴とする請求項１３項記載の通信処理装置。
【請求項１６】
前記データ処理手段は、マスタ設定の可否情報を含むパフォーマンス・パラメータを設定したデータを格納したパケットを生成する構成であることを特徴とする請求項１３記載の通信処理装置。
【請求項１７】
前記無線通信ネットワークは、ブルートゥース（Bluetooth）通信による無線通信ネットワークであり、
前記データ受信手段は、ブルートゥースネットワーク・エンカプセレーション・プロトコル（ＢＮＥＰ：Bluetooth Network Encapsulation Protocol）に従ってパフォーマンス・パラメータを格納したＢＮＥＰパケットの生成処理を実行する構成であることを特徴とする請求項１３項記載の通信処理装置。
【請求項１８】
前記データ処理手段は、前記パフォーマンス・パラメータをブルートゥースネットワーク・エンカプセレーション・プロトコル（ＢＮＥＰ：Bluetooth Network Encapsulation Protocol）に従って生成されるＢＮＥＰパケットに格納する処理を実行する構成であることを特徴とする請求項１７記載の通信処理装置。
【請求項１９】
前記バックアップマスタ情報は、複数のバックアップマスタ候補の機器のアドレス情報及び同期情報を含むリストを含む情報であり、
前記接続制御処理手段は、前記リスト順に接続処理を実行する構成であること
を特徴とする請求項１３記載の通信処理装置。
【請求項２０】
通信制御処理を実行するマスタと、マスタを介した通信を実行する１以上のスレーブとによって構成される無線通信ネットワークにおける通信処理システムであり、
各スレーブのデータ処理能力の評価要素毎の能力値をパフォーマンス・パラメータとして設定したデータに基づいて、次期マスタ候補としてのバックアップマスタを設定するとともに、バックアップマスタに関する情報としてのバックアップマスタ情報を各スレーブに提供する処理を実行するマスタと、
スレーブのデータ処理能力の評価要素毎の能力値をパフォーマンス・パラメータとして算出し、前記マスタに送信する処理を実行するとともに、前記マスタからバックアップマスタ情報を受信し、該バックアップマスタ情報を記憶手段に記憶する処理を実行するスレーブとによって構成され、
前記スレーブは、前記マスタとの接続切断後に、前記バックアップマスタ情報に基づいて、次期マスタを決定し、接続処理を実行する構成を有することを特徴とする通信処理システム。
【請求項２１】
前記パフォーマンス・パラメータは、スレーブのバッテリ残量、ＣＰＵ能力、メモリリソース、電界強度値としてのＲＳＳＩの少なくともいずれかを含み、
前記マスタは、スレーブから受信する前記１以上のパフォーマンス・パラメータの全ての値に基づいて、前記適性評価値を算出する構成であることを特徴とする請求項２０記載の通信処理システム。
【請求項２２】
前記パフォーマンス・パラメータは、スレーブのバッテリ残量、ＣＰＵ能力、メモリリソース、電界強度値としてのＲＳＳＩの少なくともいずれかを含み、
前記マスタは、前記１以上のパフォーマンス・パラメータに対して重み係数を設定した演算処理により、前記適性評価値を算出する構成であることを特徴とする請求項２０記載の通信処理システム。
【請求項２３】
前記マスタは、バックアップマスタに対応する機器のアドレス情報及び同期情報を含むバックアップマスタ情報をブルートゥースネットワーク・エンカプセレーション・プロトコル（ＢＮＥＰ：Bluetooth Network Encapsulation Protocol）に従って生成されるＢＮＥＰパケットに格納し、スレーブに対して送信する処理を実行する構成であることを特徴とする請求項２０記載の通信処理システム。
【請求項２４】
前記マスタは、さらに、決定したバックアップマスタに対してマスタ起動を要請するためのバックアップマスタ起動要請パケットを送信する処理を実行する構成であることを特徴とする請求項２０記載の通信処理システム。
【請求項２５】
前記マスタは、各スレーブから受信したパフォーマンス・パラメータに基づいて、マスタ機器としての適性評価値を算出し、該適性評価値に基づいて、評価値順の機器のアドレス情報及び同期情報を含むリストを格納したパケットを生成し、各スレーブに送信する処理を実行する構成であることを特徴とする請求項２０記載の通信処理システム。
【請求項２６】
前記マスタは、前記無線通信ネットワークの構成機器としてのスレーブ各々のアドレス情報及び同期情報を含むリストを格納したパケットを生成し、該パケットをバックアップマスタに対して送信する処理を実行する構成であることを特徴とする請求項２０記載の通信処理システム。
【請求項２７】
通信制御処理を実行するマスタと、マスタを介した通信を実行する１以上のスレーブとによって構成され、マスタのアドレスと同期情報を含む信号を受信したスレーブがマスタに対して自分の属性情報を含む呼出信号を送信する呼出処理により、マスタとスレーブが周波数軸と時間軸における同期が確立される無線通信ネットワークにおいて、マスタとして機能する通信処理装置におけるマスタ制御処理方法であり、
前記無線通信ネットワークの構成機器としてのスレーブ各々から、各スレーブのデータ処理能力の評価要素毎の能力値をパフォーマンス・パラメータとして設定したデータを受信するデータ受信ステップと、
各スレーブから受信したパフォーマンス・パラメータに基づいて、マスタ機器としての適性評価値を算出し、該適性評価値に基づいて、次期マスタとしてのバックアップマスタを決定する処理を実行するデータ処理ステップと、
前記データ処理ステップにおいて決定したバックアップマスタに対応する機器のアドレス情報及び同期情報を含むバックアップマスタ情報を前記無線通信ネットワークを構成する各スレーブに送信するデータ送信ステップとを有し、
前記データ送信ステップで送信したバックアップマスタ情報により、次期マスタが自分のアドレスと同期情報を含む問合信号を送信せずに次期ネットワークの同期確立を可能とすることを特徴とするマスタ制御処理方法。
【請求項２８】
前記パフォーマンス・パラメータは、スレーブのバッテリ残量、ＣＰＵ能力、メモリリソース、電界強度値としてのＲＳＳＩの少なくともいずれかを含み、
前記データ処理ステップは、スレーブから受信する前記１以上のパフォーマンス・パラメータの全ての値に基づいて、前記適性評価値を算出することを特徴とする請求項２７記載のマスタ制御処理方法。
【請求項２９】
通信制御処理を実行するマスタと、マスタを介した通信を実行する１以上のスレーブとによって構成される無線通信ネットワークにおいて、スレーブとして機能する通信処理装置におけるマスタ接続処理方法であり、
マスタのアドレスと同期情報を受信したスレーブがマスタに対して自分の属性情報を含む呼出信号を送信する呼出処理により、マスタとスレーブが周波数軸と時間軸における同期を確立する呼出処理ステップと、
スレーブのデータ処理能力の評価要素毎の能力値をパフォーマンス・パラメータとして設定したデータを格納したパケットを生成するデータ処理ステップと、
前記データ処理ステップにおいて生成したパケットをマスタに対して送信するデータ送信ステップと、
前記マスタからバックアップマスタに対応する機器のアドレス情報及び同期情報を含むバックアップマスタ情報を受信するデータ受信ステップと、
前記データ受信ステップにおいて受信したバックアップマスタ情報を格納する記憶ステップと、
次期マスタが自分のアドレスと同期情報を含む問合信号を送信するのを待たずに、前記記憶ステップにおいて記憶したバックアップマスタ情報に基づいて、前記呼出処理ステップで呼出信号を送信することにより、バックアップマスタとの接続処理を実行する接続制御処理ステップと
を有することを特徴とするマスタ接続処理方法。
【請求項３０】
前記データ処理ステップは、スレーブのバッテリ残量、ＣＰＵ能力、メモリリソース、電界強度値としてのＲＳＳＩの少なくともいずれかを評価要素として含む個々の能力値をパフォーマンス・パラメータとして設定したデータを格納したパケットを生成することを特徴とする請求項２９記載のマスタ接続処理方法。
【請求項３１】
通信制御処理を実行するマスタと、マスタを介した通信を実行する１以上のスレーブとによって構成され、マスタのアドレスと同期情報を含む信号を受信したスレーブがマスタに対して自分の属性情報を含む呼出信号を送信する呼出処理により、マスタとスレーブが周波数軸と時間軸における同期が確立される無線通信ネットワークにおいて、マスタとして機能する通信処理装置におけるマスタ制御処理を実行するコンピュータプログラムであり、
前記無線通信ネットワークの構成機器としてのスレーブ各々から、各スレーブのデータ処理能力の評価要素毎の能力値をパフォーマンス・パラメータとして設定したデータを受信するデータ受信ステップと、
各スレーブから受信したパフォーマンス・パラメータに基づいて、マスタ機器としての適性評価値を算出し、該適性評価値に基づいて、次期マスタとしてのバックアップマスタを決定する処理を実行するデータ処理ステップと、
前記データ処理ステップにおいて決定したバックアップマスタに対応する機器のアドレス情報及び同期情報を含むバックアップマスタ情報を前記無線通信ネットワークを構成する各スレーブに送信するデータ送信ステップとを有し、
前記データ送信ステップで送信したバックアップマスタ情報により、次期マスタが自分のアドレスと同期情報を含む問合信号を送信せずに次期ネットワークの同期確立を可能とすすることを特徴とするコンピュータ・プログラム。
【請求項３２】
通信制御処理を実行するマスタと、マスタを介した通信を実行する１以上のスレーブとによって構成される無線通信ネットワークにおいて、スレーブとして機能する通信処理装置におけるマスタ接続処理を実行するコンピュータプログラムであり、
マスタのアドレスと同期情報を受信したスレーブがマスタに対して自分の属性情報を含む呼出信号を送信する呼出処理により、マスタとスレーブが周波数軸と時間軸における同期を確立する呼出処理ステップと、
スレーブのデータ処理能力の評価要素毎の能力値をパフォーマンス・パラメータとして設定したデータを格納したパケットを生成するデータ処理ステップと、
前記データ処理ステップにおいて生成したパケットをマスタに対して送信するデータ送信ステップと、
前記マスタからバックアップマスタに対応する機器のアドレス情報及び同期情報を含むバックアップマスタ情報を受信するデータ受信ステップと、
前記データ受信ステップにおいて受信したバックアップマスタ情報を格納する記憶ステップと、
次期マスタが自分のアドレスと同期情報を含む問合信号を送信するのを待たずに、前記記憶ステップにおいて記憶したバックアップマスタ情報に基づいて、前記呼出処理ステップで呼出信号を送信することにより、バックアップマスタとの接続処理を実行する接続制御処理ステップと
を有することを特徴とするコンピュータ・プログラム。
【手続補正２】
【補正対象書類名】明細書
【補正対象項目名】００１７
【補正方法】変更
【補正の内容】
【００１７】
本発明の第１の側面は、通信制御処理を実行するマスタと、マスタを介した通信を実行する１以上のスレーブとによって構成され、マスタのアドレスと同期情報を含む信号を受信したスレーブがマスタに対して自分の属性情報を含む呼出信号を送信する呼出処理により、マスタとスレーブが周波数軸と時間軸における同期が確立される無線通信ネットワークにおいて、マスタとして機能する通信処理装置であり、無線通信ネットワークの構成機器としてのスレーブ各々から、各スレーブのデータ処理能力の評価要素毎の能力値をパフォーマンス・パラメータとして設定したデータを受信するデータ受信手段と、各スレーブから受信したパフォーマンス・パラメータに基づいて、マスタ機器としての適性評価値を算出し、該適性評価値に基づいて、次期マスタとしてのバックアップマスタを決定する処理を実行するデータ処理手段と、データ処理手段の決定したバックアップマスタに対応する機器のアドレス情報及び同期情報を含むバックアップマスタ情報を無線通信ネットワークを構成する各スレーブに送信するデータ送信手段とを有し、データ送信手段で送信したバックアップマスタ情報により、次期マスタが自分のアドレスと同期情報を含む問合信号を送信せずに次期ネットワークの同期確立を可能とする通信処理装置にある。
【手続補正３】
【補正対象書類名】明細書
【補正対象項目名】００２９
【補正方法】変更
【補正の内容】
【００２９】
本発明の第２の側面は、通信制御処理を実行するマスタと、マスタを介した通信を実行する１以上のスレーブとによって構成される無線通信ネットワークにおいて、スレーブとして機能する通信処理装置であり、マスタのアドレスと同期情報を受信したスレーブがマスタに対して自分の属性情報を含む呼出信号を送信する呼出処理により、マスタとスレーブが周波数軸と時間軸における同期を確立する呼出処理手段と、各スレーブのデータ処理能力の評価要素毎の能力値をパフォーマンス・パラメータとして設定したデータを格納したパケットを生成するデータ処理手段と、データ処理手段の生成したパケットをマスタに対して送信するデータ送信手段と、マスタからバックアップマスタに対応する機器のアドレス情報及び同期情報を含むバックアップマスタ情報を受信するデータ受信手段と、データ受信手段の受信したバックアップマスタ情報を格納する記憶手段と、次期マスタが自分のアドレスと同期情報を含む問合信号を送信するのを待たずに、記憶手段に格納されたバックアップマスタ情報に基づいて、呼出処理手段で呼出信号を送信することにより、バックアップマスタとの接続処理を実行する接続制御処理手段とを有する通信処理装置にある。
【手続補正４】
【補正対象書類名】明細書
【補正対象項目名】００３６
【補正方法】変更
【補正の内容】
【００３６】
本発明の第２の側面は、通信制御処理を実行するマスタと、マスタを介した通信を実行する１以上のスレーブとによって構成され、マスタのアドレスと同期情報を含む信号を受信したスレーブがマスタに対して自分の属性情報を含む呼出信号を送信する呼出処理により、マスタとスレーブが周波数軸と時間軸における同期が確立される無線通信ネットワークにおいて、マスタとして機能する通信処理装置におけるマスタ制御処理方法であり、無線通信ネットワークの構成機器としてのスレーブ各々から、各スレーブのデータ処理能力の評価要素毎の能力値をパフォーマンス・パラメータとして設定したデータを受信するデータ受信ステップと、各スレーブから受信したパフォーマンス・パラメータに基づいて、マスタ機器としての適性評価値を算出し、該適性評価値に基づいて、次期マスタとしてのバックアップマスタを決定する処理を実行するデータ処理ステップと、データ処理ステップにおいて決定したバックアップマスタに対応する機器のアドレス情報及び同期情報を含むバックアップマスタ情報を無線通信ネットワークを構成する各スレーブに送信するデータ送信ステップとを有し、データ送信ステップで送信したバックアップマスタ情報により、次期マスタが自分のアドレスと同期情報を含む問合信号を送信せずに次期ネットワークの同期確立を可能とすることにある。
【手続補正５】
【補正対象書類名】明細書
【補正対象項目名】００４３
【補正方法】変更
【補正の内容】
【００４３】
さらに、本発明の第４の側面は、通信制御処理を実行するマスタと、マスタを介した通信を実行する１以上のスレーブとによって構成され、マスタのアドレスと同期情報を含む信号を受信したスレーブがマスタに対して自分の属性情報を含む呼出信号を送信する呼出処理により、マスタとスレーブが周波数軸と時間軸における同期が確立される無線通信ネットワークにおいて、マスタとして機能する通信処理装置におけるマスタ制御処理方法であり、無線通信ネットワークの構成機器としてのスレーブ各々から、各スレーブのデータ処理能力の評価要素毎の能力値をパフォーマンス・パラメータとして設定したデータを受信するデータ受信ステップと、各スレーブから受信したパフォーマンス・パラメータに基づいて、マスタ機器としての適性評価値を算出し、該適性評価値に基づいて、次期マスタとしてのバックアップマスタを決定する処理を実行するデータ処理ステップと、データ処理ステップにおいて決定したバックアップマスタに対応する機器のアドレス情報及び同期情報を含むバックアップマスタ情報を無線通信ネットワークを構成する各スレーブに送信するデータ送信ステップとを有し、データ送信ステップで送信したバックアップマスタ情報により、次期マスタが自分のアドレスと同期情報を含む問合信号を送信せずに次期ネットワークの同期確立を可能とするマスタ制御処理方法にある。
【手続補正６】
【補正対象書類名】明細書
【補正対象項目名】００４５
【補正方法】変更
【補正の内容】
【００４５】
さらに、本発明の第５の側面は、通信制御処理を実行するマスタと、マスタを介した通信を実行する１以上のスレーブとによって構成される無線通信ネットワークにおいて、スレーブとして機能する通信処理装置におけるマスタ接続処理方法であり、マスタのアドレスと同期情報を受信したスレーブがマスタに対して自分の属性情報を含む呼出信号を送信する呼出処理により、マスタとスレーブが周波数軸と時間軸における同期を確立する呼出処理ステップと、スレーブのデータ処理能力の評価要素毎の能力値をパフォーマンス・パラメータとして設定したデータを格納したパケットを生成するデータ処理ステップと、データ処理ステップにおいて生成したパケットをマスタに対して送信するデータ送信ステップと、マスタからバックアップマスタに対応する機器のアドレス情報及び同期情報を含むバックアップマスタ情報を受信するデータ受信ステップと、データ受信ステップにおいて受信したバックアップマスタ情報を格納する記憶ステップと、次期マスタが自分のアドレスと同期情報を含む問合信号を送信するのを待たずに、記憶ステップにおいて記憶したバックアップマスタ情報に基づいて、呼出処理ステップで呼出信号を送信することにより、バックアップマスタとの接続処理を実行する接続制御処理ステップとを有するマスタ接続処理方法にある。
【手続補正７】
【補正対象書類名】明細書
【補正対象項目名】００４７
【補正方法】変更
【補正の内容】
【００４７】
さらに、本発明の第６の側面は、通信制御処理を実行するマスタと、マスタを介した通信を実行する１以上のスレーブとによって構成され、マスタのアドレスと同期情報を含む信号を受信したスレーブがマスタに対して自分の属性情報を含む呼出信号を送信する呼出処理により、マスタとスレーブが周波数軸と時間軸における同期が確立される無線通信ネットワークにおいて、マスタとして機能する通信処理装置におけるマスタ制御処理を実行するコンピュータプログラムであり、無線通信ネットワークの構成機器としてのスレーブ各々から、各スレーブのデータ処理能力の評価要素毎の能力値をパフォーマンス・パラメータとして設定したデータを受信するデータ受信ステップと、各スレーブから受信したパフォーマンス・パラメータに基づいて、マスタ機器としての適性評価値を算出し、該適性評価値に基づいて、次期マスタとしてのバックアップマスタを決定する処理を実行するデータ処理ステップと、データ処理ステップにおいて決定したバックアップマスタに対応する機器のアドレス情報及び同期情報を含むバックアップマスタ情報を無線通信ネットワークを構成する各スレーブに送信するデータ送信ステップとを有し、データ送信ステップで送信したバックアップマスタ情報により、次期マスタが自分のアドレスと同期情報を含む問合信号を送信せずに次期ネットワークの同期確立を可能とするコンピュータ・プログラムにある。
【手続補正８】
【補正対象書類名】明細書
【補正対象項目名】００４８
【補正方法】変更
【補正の内容】
【００４８】
さらに、本発明の第７の側面は、通信制御処理を実行するマスタと、マスタを介した通信を実行する１以上のスレーブとによって構成される無線通信ネットワークにおいて、スレーブとして機能する通信処理装置におけるマスタ接続処理を実行するコンピュータプログラムであり、マスタのアドレスと同期情報を受信したスレーブがマスタに対して自分の属性情報を含む呼出信号を送信する呼出処理により、マスタとスレーブが周波数軸と時間軸における同期を確立する呼出処理ステップと、スレーブのデータ処理能力の評価要素毎の能力値をパフォーマンス・パラメータとして設定したデータを格納したパケットを生成するデータ処理ステップと、データ処理ステップにおいて生成したパケットをマスタに対して送信するデータ送信ステップと、マスタからバックアップマスタに対応する機器のアドレス情報及び同期情報を含むバックアップマスタ情報を受信するデータ受信ステップと、データ受信ステップにおいて受信したバックアップマスタ情報を格納する記憶ステップと、次期マスタが自分のアドレスと同期情報を含む問合信号を送信するのを待たずに、記憶ステップにおいて記憶したバックアップマスタ情報に基づいて、呼出処理ステップで呼出信号を送信することにより、バックアップマスタとの接続処理を実行する接続制御処理ステップとを有するコンピュータ・プログラムにある。